(57)【要約】【課題】荷受台の荷受効率を高くできながら、複数の荷受台を嵩低く積み重ねて保管できるようにする。【解決手段】長尺体を載置する荷受台１を設け、荷受台１の荷載置面において、少なくとも４箇所に長尺物に対する移動規制主柱２を立設させてある長尺物移送ラックであって、移動規制主柱２を、荷受台１の４隅よりも内側に取り付けてあり、荷受台１の４隅に仮柱３を夫々着脱自在に立設し、荷受台１から外した仮柱３を収納する収納部４を設けてある。【選択図】図２
2020203721.tif 000002
【特許請求の範囲】
【請求項１】
長尺体を載置する荷受台を設け、
前記荷受台の荷載置面において、少なくとも４箇所に長尺物に対する移動規制主柱を立設させてある長尺物移送ラックであって、
前記移動規制主柱を、前記荷受台の４隅よりも内側に取り付けてあり、
前記荷受台の４隅に仮柱を夫々着脱自在に立設し、
前記荷受台から外した前記仮柱を収納する収納部を設けてある長尺物移送ラック。
【請求項２】
前記移動規制主柱を筒形状に形成し、前記仮柱を前記移動規制主柱の端部から内嵌可能に形成して、前記収納部を前記移動規制主柱の内側に形成してある請求項１に記載の長尺物移送ラック。
【請求項３】
前記荷受台に前記収納部を設けてある請求項１に記載の長尺物移送ラック。
【請求項４】
前記移動規制主柱の上端部が嵌合可能な嵌合部を、前記荷受台の下面側に設けて、複数の前記荷受台を上下に間隔を空けた状態で積み重ね可能に形成してある請求項１〜３のいずれか１項に記載の長尺物移送ラック。
【請求項５】
前記荷受台の下側に、キャスターの取付け部を設けてある請求項１〜４のいずれか１項に記載の長尺物移送ラック。
【発明の詳細な説明】
【技術分野】
【０００１】
本発明は、長尺体を載置する荷受台を設け、前記荷受台の荷載置面において、少なくとも４箇所に長尺物に対する移動規制主柱を立設させてある長尺物移送ラックに関する。
【背景技術】
【０００２】
従来の上記長尺物移送ラックにおいて、移動規制主柱は一般的に荷受台の４隅に取り付けてあることが多く、隣接する移動規制主柱間の最大距離よりも長い長尺物を載置する場合は、移動規制主柱によってその長尺物は転がり落ちることなく安定して荷受台に積載した状態で移送できるのであるが、図８に示すように、隣接する移動規制主柱２間の最小距離よりも短い長尺物を載置する場合は、隣接する移動規制主柱２間から長尺物が転がり落ちて移送が困難になりやすい。
また、複数の荷受台を積み重ねて保管する場合に、図９（ａ）、（ｂ）に示すように、荷受台１に立設する移動規制主柱２が上下に重ならないように、嵩低く保管できるように、平面視で位置ずれさせて積み重ねると、荷受台１の端部が移動規制主柱２による移動規制を受けずに（図９（ｂ））、横にずり落ちる危険性があった（図９（ｂ））（周知技術で適切な文献が見当たらない）。
【発明の概要】
【発明が解決しようとする課題】
【０００３】
そこで、上記問題点を解消すべく、４本の移動規制主柱２を荷受台１の４隅よりも内側に立設させて取り付けることが考えられる。
この場合、図１０（ａ）、（ｂ）に示すように、複数の荷受台１を平面視で少しずつ位置をずらせて積み重ねても、荷受台１は横にずり落ちることなくコンパクトに積み重ねて保管できる。
しかし、図１１（ａ）に示すように、比較的長い長尺物８を載置する場合は、荷受台１のスペースを１００％使用できるのであるが、図１１（ｂ）に示すように、比較的短い長尺物８を載置する場合、その長尺物８の積載方向を、平面視で９０度変更して積載する必要があるが、荷受台１の４隅に柱がないために、荷受台１上に長尺物８を積載しないデッドスペースＤが形成され、荷受台１を利用する移送効率が悪くなる虞がある。
【０００４】
従って、本発明の目的は、上記問題点を解消し、荷受台の荷受効率を高くできながら、複数の荷受台を嵩低く積み重ねて保管できるようにするところにある。
【課題を解決するための手段】
【０００５】
本発明の第１の特徴構成は、長尺体を載置する荷受台を設け、前記荷受台の荷載置面において、少なくとも４箇所に長尺物に対する移動規制主柱を立設させてある長尺物移送ラックであって、前記移動規制主柱を、前記荷受台の４隅よりも内側に取り付けてあり、前記荷受台の４隅に仮柱を夫々着脱自在に立設し、前記荷受台から外した前記仮柱を収納する収納部を設けたところにある。
【０００６】
本発明の第１の特徴構成によれば、隣接する移動規制主柱間の最大距離よりも長い長尺物を、荷受台上に載置して移送する場合は、移動規制主柱により長尺物の移動が規制されて安定した状態で移送できながら、比較的短い長尺物を載置する場合には、図１２に示すように、仮柱３を荷受台１の４隅に立設させることで、荷受台１の載置面をフルに使用して、比較的短い長尺物８でも効率よく載置して移送できる。
その上、複数の長尺物移送ラックを保管する場合、４隅の仮柱を荷受台から外した後に、図５（ａ）、（ｂ）に示すように、平面視で少しずつずらせて積み重ねすることで嵩低く保管できる。
そしてその保管時には、取り外した仮柱は、夫々収納部に収納することで、仮柱は邪魔になることなく、しかも紛失するのを防止することができる。
【０００７】
本発明の第２の特徴構成は、前記移動規制主柱を筒形状に形成し、前記仮柱を前記移動規制主柱の端部から内嵌可能に形成して、前記収納部を前記移動規制主柱の内側に形成したところにある。
【０００８】
本発明の第２の特徴構成によれば、本発明の第１の特徴構成による上述の作用効果を叶えることができるのに加えて、荷受台から取り外した仮柱は、筒形状の移動規制主柱に内嵌することで収納でき、特別な加工を要せずとも収納部を形成できる。
【０００９】
本発明の第３の特徴構成は、前記荷受台に前記収納部を設けたところにある。
【００１０】
本発明の第３の特徴構成によれば、仮柱の収納部を荷受台に設けることにより、仮柱の形状の自由度が向上する。
【００１１】
本発明の第４の特徴構成は、前記移動規制主柱の上端部が嵌合可能な嵌合部を、前記荷受台の下面側に設けて、複数の前記荷受台を上下に間隔を空けた状態で積み重ね可能に形成したところにある。
【００１２】
本発明の第４の特徴構成によれば、荷受台の下面側に設けた嵌合部に、移動規制主柱の上端部を嵌合させて複数の前記荷受台を上下に間隔を空けた状態で積み重ねることで、積み重ねた荷受台夫々に長尺物を載置して、一度に多量の長尺物を移送でき、移送効率の向上を果たせる。
【００１３】
本発明の第５の特徴構成は、前記荷受台の下側に、キャスターの取付け部を設けたところにある。
【００１４】
本発明の第５の特徴構成によれば、荷受台の取付け部にキャスターを夫々取り付けられるために、荷受台の移送を長尺物を載置して楽に行える。
【図面の簡単な説明】
【００１５】
【図１】（ａ）は長尺物移送ラックの平面図、（ｂ）は長尺物移送ラックの正面図である。
【図２】長尺物移送ラックの斜視図である。
【図３】長尺物移送ラックを上下に嵌合連結する時の作用説明図で、（ａ）は嵌合前、（ｂ）は嵌合後である。
【図４】長尺物移送ラックを上下に嵌合連結する時の斜視図である。
【図５】長尺物移送ラックを上下に積み重ねる時の保管状態説明図で、（ａ）は正面図、（ｂ）は平面図である。
【図６】長尺物移送ラックの別実施形態を示す斜視図である。
【図７】長尺物移送ラックの別実施形態を示す斜視図である。
【図８】従来例の斜視図である。
【図９】従来例の作用説明図で、（ａ）は積み重ね状態の正面図。(ｂ)は積み重ね状態の平面図である。
【図１０】比較例の作用説明図で、（ａ）は積み重ね状態の正面図。(ｂ)は積み重ね状態の平面図である。
【図１１】比較例の作用を示す平面図で、（ａ）は比較的長い長尺物を載置する状態で、（ｂ）は比較的短い長尺物を載置する状態を示す。
【図１２】本発明の作用を示す平面図である。
【発明を実施するための形態】
【００１６】
以下に本発明の実施の形態を図面に基づいて説明する。尚、図面において従来例と同一の符号で表示した部分は、同一又は相当の部分を示している。
【００１７】
図１〜図２に示すように、長尺体を載置する荷受台１を設け、荷受台１の荷載置面において、少なくとも４箇所に長尺物に対する金属製の角筒形状または略角筒形状の移動規制主柱２を立設させてある長尺物移送ラックが設けてある。
【００１８】
前記長尺物移送ラックは、移動規制主柱２を、荷受台１の４隅よりも内側に取り付けてあり、荷受台１の４隅に、仮柱３の嵌合取付け部３Ａを形成することで、夫々の仮柱３の下端部を着脱自在に差し込んで立設できるように構成してある。
そして、仮柱３の不要な時には荷受台１から外した仮柱３を収納する収納部４を、移動規制主柱２の内側に設けてある。
つまり、略角筒形状の移動規制主柱２の内側に内嵌可能な形状に仮柱３を形成してある。
【００１９】
前記移動規制主柱２の上端部が嵌合可能な嵌合部５を、図３（ａ）、（ｂ）、図４に示すように、荷受台１の下面側に設けて、複数の前記荷受台１を上下に間隔を空けた状態で積み重ね可能に形成してある。
前記複数の長尺物移送ラックを積み重ねて保管する時には、図５（ａ）、（ｂ）に示すように、夫々の荷受台１を前後に位置ずれさせた状態で上下に重ねることにより、嵩低く保管できる。
また、前記荷受台１の下側に、キャスター６を取り付け可能なキャスター６の取付け部を設けてあり、荷受台１の移動を手動でも楽にできるように構成してある。
【００２０】
図１（ｂ）に示すように、前記荷受台１の上面側には、必要に応じて、長尺物を載置する際に長尺物の傷つけ防止や滑り止めの機能のある樹脂製の保護プレート７を載置してあってもよい。
【００２１】
〔別実施形態〕
以下に他の実施の形態を説明する。
なお、以下の他の実施形態において、上記実施形態と同様の部材には同一の符号を附してある。
〈１〉  前記移動規制主柱２は、角筒形状以外に円筒形状であってもよい。
〈２〉  仮柱３は、移動規制主柱２に内嵌する以外に、外嵌する形状であってもよい。この場合、移動規制主柱２の外側が前記収納部４になる。
〈３〉  筒形状の移動規制主柱２の内側に前記収納部４を形成する場合、仮柱３は、移動規制主柱２の内面形状と相似形である必要はなく、例えば、移動規制主柱２が角筒形状の場合、仮柱３は、円柱形状であってもよい。また、移動規制主柱２が円筒形状の場合、仮柱３は、円柱形状または角柱状であっても良い。
〈４〉  荷受台１に仮柱３の収納部４を設けてあってもよい。つまり、図６に示すように、荷受台１の下面側に仮柱３を内嵌支持可能な収納空間を設け、仮柱３を、荷受台１の下側または、側端部から収納空間に挿入可能な収納口部を形成してあってもよい。
〈５〉  仮柱３を、図７に示すように、荷受台１の４隅部の横側に上下折り畳み可能に取り付け、その仮柱３を荷受台１の横側に沿って折り畳んだ状態で、仮柱３の収納部４を荷受台１の横側に設けてあってもよい。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２３】
１      荷受台
２      移動規制主柱
３      仮柱
４      収納部
【図１】
2020203721.tif 000003
【図２】
2020203721.tif 000004
【図３】
2020203721.tif 000005
【図４】
2020203721.tif 000006
【図５】
2020203721.tif 000007
【図６】
2020203721.tif 000008
【図７】
2020203721.tif 000009
【図８】
2020203721.tif 000010
【図９】
2020203721.tif 000011
【図１０】
2020203721.tif 000012
【図１１】
2020203721.tif 000013
【図１２】
2020203721.tif 000014